(57)【要約】【課題】剥離効果の持続性に優れた剥離剤組成物を提供する。【解決手段】本発明の剥離剤組成物は、（Ａ）分子中にヒドロキシル基、カルボキシル基、アミノ基、アミド基、エステル基から選ばれる１つの官能基と、炭素数６以上３０以下の脂肪族炭化水素鎖を有する化合物、（Ｂ）分子中にヒドロキシル基、カルボキシル基、アミノ基、アミド基、エステル基から選ばれる３つ以上の官能基と、炭素数６未満の脂肪族炭化水素鎖を有する化合物、（Ｃ）溶剤を含有することを特徴とする。【選択図】なし【特許請求の範囲】
【請求項１】
（Ａ）分子中にヒドロキシル基、カルボキシル基、アミノ基、アミド基、エステル基から選ばれる１つの官能基と、炭素数６以上３０以下の脂肪族炭化水素鎖を有する化合物、
（Ｂ）分子中にヒドロキシル基、カルボキシル基、アミノ基、アミド基、エステル基から選ばれる３つ以上の官能基と、炭素数６未満の脂肪族炭化水素鎖を有する化合物、
（Ｃ）溶剤、
を含むことを特徴とする剥離剤組成物。
【発明の詳細な説明】
【技術分野】
【０００１】
本発明は、剥離効果の持続性に優れた剥離剤組成物に関する。
【背景技術】
【０００２】
建築物、土木構造物等の表面に形成された塗膜（旧塗膜）を塗り替える方法として、旧塗膜の上に新しい塗料を塗装する方法、または、旧塗膜を一旦剥離し新しい塗料を塗装する方法等が挙げられる。従来コストや工期短縮等の面から旧塗膜に上に新しい塗料を塗装する方法で塗り替える場合が多く、現在旧塗膜の上に２回ないし３回以上塗り重ねた建築物、土木構造物は数多く存在する。
【０００３】
しかし、既に劣化した旧塗膜の上に新しい塗料を何重にも塗り重ねると、塗膜自体が重くなり基材に負荷を与える恐れがある。また塗膜自体の厚みが厚くなりすぎ空間を圧迫してしまう場合もある。さらに近年では高機能性塗膜が登場し、塗膜の上に新しい塗料を塗装すること自体が難しい場合もある。
【０００４】
このような問題から、最近では旧塗膜を一旦剥離する方法が多くなってきている。
旧塗膜を剥離する方法としては、サンダー処理、ブラスト処理、高圧水噴射、タガネハツリ等の物理的手法、薬剤、溶剤を利用した化学的手法等が挙げられるが、最近では、下地損傷、粉塵飛散等の問題、環境配慮等の観点から、溶剤を利用した化学的手法が用いられるようになっている。（例えば、特許文献１等）
【先行技術文献】
【特許文献】
【０００５】
【特許文献１】特表２００１−５２７１１５号公報
【発明の概要】
【発明が解決しようとする課題】
【０００６】
このような剥離剤には、剥離効果の持続性を向上させるために、蒸発抑制剤を含有させている。例えば、特許文献１では、蒸発抑制剤が列挙されている（段落００１３）。
しかしながら、このような蒸発抑制剤を単に含有するだけでは、剥離効果の持続性に不十分な場合があり、さらに優れた剥離効果の持続性が要望されている。
【課題を解決するための手段】
【０００７】
本発明はこのような課題に鑑みなされたもので、（Ｃ）溶剤とともに、（Ａ）分子中にヒドロキシル基、カルボキシル基、アミノ基、アミド基、エステル基から選ばれる１つの官能基と、炭素数６以上３０以下の脂肪族炭化水素鎖を有する化合物と、（Ｂ）分子中にヒドロキシル基、カルボキシル基、アミノ基、アミド基、エステル基から選ばれる３つ以上の官能基と、炭素数６未満の脂肪族炭化水素鎖を有する化合物の２種の揮発抑制剤を併用することにより、剥離効果の持続性に優れた剥離剤組成物が得られることを見出し、本発明の完成に至った。
【０００８】
すなわち、本発明は以下の特徴を有するものである。
１．（Ａ）分子中にヒドロキシル基、カルボキシル基、アミノ基、アミド基、エステル基から選ばれる１つの官能基と、炭素数６以上３０以下の脂肪族炭化水素鎖を有する化合物、
（Ｂ）分子中にヒドロキシル基、カルボキシル基、アミノ基、アミド基、エステル基から選ばれる３つ以上の官能基と、炭素数６未満の脂肪族炭化水素鎖を有する化合物、
（Ｃ）溶剤、
を含むことを特徴とする剥離剤組成物。
【発明の効果】
【０００９】
本発明の剥離剤組成物は、剥離効果の持続性に優れている。
【発明を実施するための形態】
【００１０】
以下、本発明を実施するための形態について説明する。
【００１１】
本発明の剥離剤組成物は、（Ａ）分子中にヒドロキシル基、カルボキシル基、アミノ基、アミド基、エステル基から選ばれる１つの官能基と、炭素数６以上３０以下の脂肪族炭化水素鎖を有する化合物（以下、「（Ａ）成分」ともいう。）、（Ｂ）分子中にヒドロキシル基、カルボキシル基、アミノ基、アミド基、エステル基から選ばれる３つ以上の官能基と、炭素数６未満の脂肪族炭化水素鎖を有する化合物（以下、「（Ｂ）成分」ともいう。）、（Ｃ）溶剤（以下、「（Ｃ）成分」ともいう。）を含むことを特徴とするものである。
【００１２】
本発明で用いる（Ａ）成分は、分子中にヒドロキシル基、カルボキシル基、アミノ基、アミド基、エステル基から選ばれる１つの官能基と、炭素数６以上３０以下（好ましくは８以上２４以下、より好ましくは１０以上２２以下、さらに好ましくは１２以上２０以下）の脂肪族炭化水素鎖を有する化合物である。
このような（Ａ）成分は、（Ｃ）成分の揮発を抑制する機能を有するとともに、脂肪族炭化水素鎖により（Ｃ）成分と相溶しやすく、また官能基（ヒドロキシル基、カルボキシル基、アミノ基、アミド基、エステル基）と、（Ｂ）成分の官能基（ヒドロキシル基、カルボキシル基、アミノ基、アミド基、エステル基）との相互作用により、さらに（Ｃ）成分の揮発を抑制する機能を高めることができる。
【００１３】
（Ａ）成分としては、例えば、脂肪族モノアルコール、脂肪族モノカルボン酸、脂肪族モノアミン、脂肪族モノアミド、脂肪族モノエステル等が挙げられる。
脂肪族モノアルコールとしては、例えば、ヘキサノール、ヘプタノール、オクタノール、ノナノール、デカノール、ウンデカノール、ドデカノール、トリデカノール、テトラデカノール、ペンタデカノール、ヘキサデカノール、ヘプタデカノール、オクタデカノール、ノナデカノール、エイコサノール、ヘンイコサノール、ドコサノール、トリコサノール、テトラコサノール、ペンタコサノール、ヘキサコサノール、ヘプタコサノール、オクタコサノール、ノナコサノール、トリアコンタノール、オレイルアルコール、リノレイルアルコール、パルミトレイルアルコール 、エライジルアルコール、エライドリノレイルアルコール、リノレニルアルコール、エライドリノレニルアルコール、エルシルアルコール、イソヘキサノール、２−メチル−１−ペンタノール、３−メチル−１−ペンタノール、２−エチル−１−ブタノール、３，３−ジメチル−１−ブタノール、イソヘプタノール、４−メチル−１−ヘキサノール、３−メチル−１−ヘキサノール、２−エチル−２−メチル−１−ブタノール、イソオクタノール、２−エチルヘキサノール、６−メチル−２−ヘプタノール、イソノナノール、３，５，５−トリメチルヘキサノール、イソデカノール、イソウンデカノール、イソドデカノール、２−ブチルオクタノール、イソトリデカノール、イソテトラデカノール、イソペンタデカノール、２−ヘキシルデカノール、イソヘキサデカノール、２−ヘキシルデカノール、イソヘプタデカノール、イソオクタデカノール、２−イソヘプチルイソウンデカノール、イソノナデカノール、イソエイコサノール、２−オクチルドデカノール、イソヘンエイコサノール、１８−メチルエイコサノール、イソドコサノール、イソトリコサノール、イソテトラコサノール、２−デシルテトラデカノール、イソペンタコサノール、イソヘキサコサノール、イソヘプタコサノール、イソオクタコサノール、イソノナコサノール、イソトリアコンタノール等が挙げられる。
脂肪族モノカルボン酸としては、例えば、ヘキサン酸、ヘプタン酸、オクタン酸、デカン酸、ウンデカン酸、ドデカン酸、トリデカン酸、テトラデカン酸、ペンタデカン酸、ヘキサデカン酸、ヘプタデカン酸 、オクタデカン酸、ノナデカン酸、イコサン酸、ヘンイコサン酸、ドコサン酸、トリコサン酸、テトラコサン酸、ペンタコサン酸、ヘキサコサン酸、ヘプタコサン酸、オクタコサン酸、ノナコサン酸、トリアコンタン酸、サピエン酸、オレイン酸、エイコセン酸、エルカ酸、ネルボン酸、パルミトレイン酸、バクセン酸、パウリン酸、ミード酸、リノール酸、γ−リノレン酸、ピノレン酸、エイコサジエン酸、ジホモ−γ−リノレン酸、アラキドン酸、ドコサジエン酸、ドコサテトラエン酸、アドレン酸、ドコサペンタエン酸、オズボンド酸、α−リノレン酸、ステアリドン酸、エイコサトリエン酸、エイコサテトラエン酸、エイコサペンタエン酸、ドコサペンタエン酸、ドコサヘキサエン酸、テトラコサペンタエン酸、テトラコサヘキサエン酸、リシノール酸、ミリストレイン酸、ペンタデセン酸、ヘプタデセン酸、ペトロセリン酸、エレオステアリン酸、ボセオペンタエン酸、ガドレイン酸、エチルヘキサン酸、ネオデカン酸、イソトリデカン酸、イソテトラデカン酸、イソペンタデカン酸、イソヘキサデカン酸、２−ヘキシルデカン酸、イソヘプタデカン酸、イソオクタデカン酸、イソノナデカン酸、イソエイコサン酸、２−オクチルドデカン酸、２−デシルテトラデカン酸等が挙げられる。
脂肪族モノアミンとしては、例えば、ヘキシルアミン、ヘプチルアミン、オクチルアミン、エチルヘキシルアミン、デシルアミン、ドデシルアミン、テトラデシルアミン、ヘキサデシルアミン、オクタデシルアミン、イコシルアミン、ドコシルアミン、テトラコシルアミン、ペンタコシルアミン、ヘキサコシルアミン、ヘプタコシルアミン、オクタコシルアミン、ノナコシルアミン、トリアコンチルアミン、オレイルアミン、リノレイルアミン、エルカアミン、リシノレイルアミン等が挙げられる。
脂肪族モノアミドとしては、例えば、ヘキサンアミド、ヘプタンアミド、オクタンアミド、デカンアミド、ドデカンアミド、テトラデカンアミド、ヘキサデカンアミド、オクタデカンアミド、イコサンアミド、ドコサンアミド、テトラコサンアミド、オレイン酸アミド、リノール酸アミド、リノレン酸アミド、アラキドン酸アミド、エルカ酸アミド等が挙げられ、上記脂肪族モノカルボン酸とアミンの反応生成物である脂肪族モノアミドを用いることができる。なおここで使用されるアミンとしては、例えば、上記脂肪族モノアミン、あるいは、メチルアミン、エチルアミン、プロピルアミン、ブチルアミン、ペンチルアミンから選ばれる１種以上を使用することができる。
脂肪族モノエステルとしては、例えば、上記脂肪族モノカルボン酸と、アルコールとの反応生成物である脂肪族モノエステル等が挙げられる。なお、ここで使用されるアルコールとしては、上記脂肪族モノアルコール、あるいは、メタノール、エタノール、プロピルアルコール、ブチルアルコール、ペンチルアルコールから選ばれる１種以上を使用することができる。
【００１４】
本発明で用いる（Ｂ）成分は、分子中にヒドロキシル基、カルボキシル基、アミノ基、アミド基、エステル基から選ばれる３つ以上の官能基と、炭素数６未満の脂肪族炭化水素鎖を有する化合物で、分子中にヒドロキシル基、カルボキシル基、アミノ基、アミド基、エステル基から選ばれる官能基を３つ以上含んでいれば、官能基の種類は１種でもよいし、２種以上でもよい。
このような（Ｂ）成分は、（Ｃ）成分の揮発を抑制する機能を有するとともに、上述したように（Ａ）成分との相互作用により、（Ｃ）成分の揮発を抑制する機能を高めることができる。また（Ｂ）成分の官能基は、大気中の水分、あるいは、剥離剤中に含まれる水分等を吸着し、（Ｃ）成分の揮発をより抑制し、また、表面等の乾燥を抑制して、剥離性向上、飛散防止向上等剥離作業を簡便にすることができる。
【００１５】
（Ｂ）成分としては、例えば、グリセリン、ブタントリオール、２−メチル−プロパントリオール、ペンタントリオール、２−メチル−ブタントリオール、トリメチロールエタン、ヘキサントリオール、２−エチル−ブタントリオール、トリメチロールプロパン、トリエタノールアミン、トリイソプロパノールアミン、ペンタエリスリトール、ペンタンテトロール、ヘキサンテトロール、ジグリセリン、ジトリメチロールプロパン、ソルビトール、アドニトール、アラビトール、キシリトール、トリグリセリン、ジペンタエリスリトール、ソルビトール、マンニトール、イジトール、イノシトール、ダルシトール、タロース、アロース、トリペンタエリスリトール等の３つ以上のヒドロキシル基を有する化合物、
トリメリット酸、ヘミメリット酸等のベンゼントリカルボン酸、ピロメリット酸等のベンゼンテトラカルボン酸、メリット酸等のベンゼンヘキサカルボン酸、シクロヘキサントリカルボン酸等の３つ以上のカルボキシル基を有する化合物、
トリアミノトリエチルアミン、トリエチレンテトラミン等の３つ以上のアミノ基を有する化合物、
ヘキサメチルリン酸トリアミド等の３つ以上のアミド基を有する化合物、
上記３つ以上のカルボキシル基を有する化合物とアミンの反応生成物であるカルボキシル基とアミド基の合計量が３つ以上である化合物、
上記３つ以上のアミノ基を有する化合物とカルボン酸の反応生成物であるアミノ基とアミド基の合計量が３つ以上である化合物、
上記３つ以上のヒドロキシル基を有する化合物とカルボン酸の反応生成物であるヒドロキシル基とエステル基の合計量が３つ以上である化合物、
上記３つ以上のカルボキシル基を有する化合物とアルコールの反応生成物であるカルボキシル基とエステル基の合計量が３つ以上である化合物、
等が挙げられ、これらのうち１種または２種以上を使用できる。
なお、ここで使用されるアミンとしては、上記脂肪族モノアミン、あるいは、メチルアミン、エチルアミン、プロピルアミン、ブチルアミン、ペンチルアミンから選ばれる１種以上、カルボン酸としては、上記脂肪族モノカルボン酸、あるいは、メタン酸、エタン酸、プロパン酸、ブタン酸、ペンタン酸から選ばれる１種以上、アルコールとしては、上記脂肪族モノアルコール、あるいは、メタノール、エタノール、プロピルアルコール、ブチルアルコール、ペンチルアルコールから選ばれる１種以上が挙げられる。
【００１６】
本発明で用いる（Ｃ）成分は、剥離効果を有する溶剤であり、上記（Ａ）成分、上記（Ｂ）成分とは異なるもので、例えば、次に例示するもの等が挙げられ、これらのうち１種または２種以上を使用できる。
・直鎖状、分岐状の飽和、不飽和脂肪族炭化水素
例えば、ヘキサン、オクタン、ノナン、デカン、ウンデカン、ドデカン、トリデカン、ペンタデカン、テトラデカン、ヘキサデカン、ヘプタデカン、オクタデカン、ノナデカン、エイコサン、ドコサン等が挙げられ、特に、直鎖状の飽和脂肪族炭化水素等が好ましい。
・直鎖状、分岐状の飽和、不飽和脂肪族ジアルコール
例えば、ヘキサンジオール、ヘプタンジオール、オクタンジオール、ノナンジオール、デカンジオール、ウンデカンジオール、ドデカンジオール、トリデカンジオール、テトラデカンジオール、ペンタデカンジオール、ヘキサデカンジオール、ヘプタデカンジオール、オクタデカンジオール、ノナデカンジオール、エイコサンジオール、ヘンイコサンジオール、ドコサンジオール、トリコサンジオール、テトラコサンジオール、リシノレイルアルコール等が挙げられ、特に、直鎖状の飽和脂肪族ジアルコール等が好ましい。
・直鎖状、分岐状の飽和、不飽和脂肪族ジカルボン酸
例えば、ヘキサン二酸、ヘプタン二酸、オクタン二酸、ノナン二酸、デカン二酸等が挙げられ、特に直鎖状の飽和脂肪族ジカルボン酸等が好ましい。
・炭素数６以上２４以下の直鎖状、分岐状の飽和、不飽和脂肪族ジエステル
例えば、上記脂肪族ジカルボン酸あるいはシュウ酸、マロン酸、コハク酸、グルタル酸と、上記脂肪族モノアルコールあるいはメタノール、エタノール、プロパノール、ブタノール、ペンタノールから選ばれる１種以上の反応生成物である脂肪族ジエステル、また上記脂肪族ジアルコールあるいはエタンジオール、プロパンジオール、ブタンジオール、ペンタンジオールと、上記脂肪族モノカルボン酸、あるいはメタン酸、エタン酸、プロパン酸、ブタン酸、ペンタン酸から選ばれる１種以上の反応生成物である脂肪族ジエステル等が挙げられる。
・直鎖状、分岐状の飽和、不飽和脂肪族エーテル
例えば、ヘプチルエーテル、オクチルエーテル、テトラデシルエーテル、ヘキサデシルエーテル等が挙げられ、特に、直鎖状の飽和脂肪族エーテル等が好ましい。
・直鎖状、分岐状の飽和、不飽和脂肪族ケトン
例えば、メチルイソブチルケトン、ジイソブチルケトン、ヘプタノン、シクロヘキサノン、シクロヘプタノン、シクロオクタノン、イソホロン等が挙げられ、特に、直鎖状の飽和脂肪族ケトン等が好ましい。
・直鎖状、分岐状の飽和、不飽和脂肪族ジアミン
例えば、ヘキシルジアミン、ヘプチルジアミン、オクタンジアミン、デカンジアミン、ドデカンジアミン等が挙げられ、特に、直鎖状の飽和脂肪族ジアミン等が好ましい。
・直鎖状、分岐状の飽和、不飽和脂肪族ジアミド
例えば、上記脂肪族ジカルボン酸と、上記脂肪族モノアミン、あるいは、メチルアミン、エチルアミン、プロピルアミン、ブチルアミン、ペンチルアミンから選ばれる１種以上の反応生成物である脂肪族ジアミド等が挙げられ、特に、直鎖状の飽和脂肪族ジアミド等が好ましい。
・直鎖状、分岐状の飽和、不飽和芳香族炭化水素
例えば、トルエン、キシレン、ベンゼン、エチルベンゼン、クメン、トリメチルベンゼン、ナフタレン等が挙げられる。
・直鎖状、分岐状の飽和、不飽和芳香族アルコール
例えば、フェノール、ベンジルアルコール等が挙げられ、特に、ベンジルアルコールが好ましい。
・直鎖状、分岐状の飽和、不飽和芳香族エーテル
例えば、ベンジルフェニルエーテル、ベンジルメチルエーテル、ジベンジルエーテル、ジフェニルエーテル等が挙げられる。
・グリコール類
例えば、エチレングリコール、ジエチレングリコール、プロピレングリコール、エチレングリコールモノｎ−ブチルエーテル、エチレングリコールモノｔｅｒｔ−ブチルエーテル、ジエチレングリコールモノメチルエーテル、ジエチレングリコールモノエチルエーテル、ジエチレングリコールモノブチルエーテル、エチレングリコールジアセテート、プロピレングリコールモノブチルエーテル、ジプロピレングリコールモノメチルエーテル、プロピレングリコールモノｎ−ブチルエーテル、ジプロピレングリコールモノプロピルエーテル、エチレングリコールジブチルエーテル、ジエチレングリコールエチルメチルエーテル、ジエチレングリコールジメチルエーテル、ジエチレングリコールエチルメチルエーテル、ジエチレングリコールジエチルエーテル、ジエチレングリコールジブチルエーテル、ジプロピレングリコールジメチルエーテル、トリエチレングリコールジメチルエーテル、ジエチレングリコールモノエチルエーテルアセテート、エチレングリコールモノエチルエーテルアセテート、エチレングリコールモノブチルエーテルアセテート、ジエチレングリコールモノエチルエーテルアセテート、ジエチレングリコールモノブチルエーテルアセテート等が挙げられる。
また上記脂肪族炭化水素と上記芳香族炭化水素の混合物であるミネラルスピリット、ホワイトスピリット、ミネラルターペン、イソパラフィン、ソルベント灯油、芳香族ナフサ、ＶＭ＆Ｐナフサ、ソルベントナフサ等、また、Ｎ，Ｎ−ジメチルホルムアミド、Ｎ，Ｎ−ジエチルホルムアミド、Ｎ，Ｎ−ジメチルアセトアミド、１−３−ジメチル−２−イミダゾリジノン、酢酸エチル、酢酸ブチル、ジメチルスルホキシド、ヘキサメチルリン酸トリアミド、Ｎ−メチルピロリドン、スルホラン、クロロブタン、ブロムヘキサン、ジクロロメタン、１，２&#8722;ジクロロエタン、１，１&#8722;ジクロロエタン、クロロホルム、クロロベンゼン、ジクロロベンゼン、塩素化ポリエチレン、塩素化ポリプロピレン、トリグリセリド等も用いることができる。
【００１７】
本発明（Ａ）成分、（Ｂ）成分、（Ｃ）成分の混合量は、（Ｃ）成分１００重量部に対し、（Ａ）成分１重量部以上２０重量部以下（好ましくは３重量部以上１５重量部以下）、（Ｂ）成分０．５重量部以上２０重量部以下（好ましくは１重量部以上１５重量部以下）であることが好ましい。
【００１８】
本発明の剥離剤組成物は、上記（Ａ）成分、（Ｂ）成分、（Ｃ）成分の他に、例えば、増粘剤、酸化剤、還元剤、水、界面活性剤、樹脂、ワックス、芳香剤、着色剤、染料等の添加剤を用いることもできる。
【００１９】
増粘剤としては、例えば、セピオライト、パリゴルスカイト、ベントナイト、モンモリロナイト、ヘクトライト、バイデライト、サポナイト、ノントロナイト、ボルコンスコアイト、ソーコナイト、スティーブンサイト、フルオロヘクトライト、ラポナイト、レクトナイト、バーミキュライト、イライト、マカタイト、カネマイト、イリエライト、マガディアイト、ケニヤアイト等の粘土鉱物、膨潤性シリカ、セルロースまたはセルロース誘導体、ポリアクリル酸重合体等を用いることができる。
増粘剤は、組成物全量に対し、０．１重量％以上２０重量％以下、さらには０．５重量％以上１５重量％以下含有することが好ましい。
【００２０】
酸化剤としては、例えば、蟻酸、酢酸、酪酸、アクリル酸、シュウ酸、マロン酸、コハク酸、グルタル酸、フタル酸、マレイン酸、フマル酸、安息香酸、サリチル酸、ケイ皮酸、乳酸、リンゴ酸、クエン酸、酒石酸、アスコルビン酸、アスパラギン酸、アミノ安息香酸、アルギン酸、グリコール酸、グルコン酸、グルタミン酸、トルエンスルホン酸、ニコチン酸、尿酸、ハロゲン置換酢酸、ベンゼンスルホン酸、過酸化水素、過塩素酸塩、過ホウ酸塩等が挙げられる。
【００２１】
還元剤としては、例えば、水酸化ナトリウム、ポリリン酸ナトリウム、炭酸ナトリウム、水酸化カリウム、水酸化リチウム、水酸化カルシウム等が挙げられる。
【００２２】
酸化剤、還元剤の混合量は、特に限定されないが、組成物全量に対し、その合計量が０．１重量％以上１０重量％以下、さらには０．５重量％以上５重量％以下であることが好ましい。
【００２３】
水は、（Ａ）成分から（Ｃ）成分の成分の種類等により適宜設定して使用することができる。水の混合量は、特に限定されないが、組成物全量に対し、０．１重量％以上５０重量％以下、さらには０．５重量％以上４５重量％以下であることが好ましい。
【００２４】
界面活性剤としては、ノニオン性界面活性剤、アニオン性界面活性剤、カチオン性界面活性剤、両性界面活性剤等特に限定されず用いることができる。
界面活性剤の混合量は、特に限定されないが、組成物全量に対し、０．１重量％以上１０重量％以下、さらには０．５重量％以上５重量％以下であることが好ましい。
【００２５】
樹脂としては、例えば、酢酸ビニル樹脂、アクリル樹脂、ウレタン樹脂、ポリエステル樹脂等が挙げられ、本発明では特に酢酸ビニル樹脂、アクリル樹脂等の熱可塑性樹脂を用いることが好ましい。また、樹脂形態は、水可溶型、水分散型、溶剤可溶型、ＮＡＤ型、自己乳化型、粉末型等特に限定されないが、水分散型、自己乳化型、粉末型等であることが好ましい。
【００２６】
ワックスとしては、例えば、ポリエチレンワックス及びその誘導体、モンタンワックス及びその誘導体、パラフィンワックス及びその誘導体、マイクロクリスタリンワックス及びその誘導体、ペトロラタム、カルナバワックス、キャンデリラワックス、ライスワックス、木ロウ、ラノリン、みつろう、フィッシャー・トロプシュワックス等が挙げられ、液状または固形状特に限定されず、１種または２種以上を用いることができる。本発明では特に、ポリエチレンワックス、パラフィンワックスを用いることが好ましい。
【００２７】
本発明の剥離剤組成物は、建築物、土木構造物等の表面に形成された塗膜を剥離するもので、適用できる塗膜としては、特に限定されないが、例えば、ＪＩＳ  Ｋ５６２１「一般用さび止めペイント」、ＪＩＳ  Ｋ５６５１「アミノアルキド樹脂塗料」、ＪＩＳ  Ｋ５６５８「建築用耐候性上塗り塗料」、ＪＩＳ  Ｋ５６５９「鋼構造物用耐候性塗料」、ＪＩＳ  Ｋ５６６０「つや有合成樹脂エマルションペイント」、ＪＩＳ  Ｋ５６６３「合成樹脂エマルションペイント」、ＪＩＳ  Ｋ５６６８「合成樹脂エマルション模様塗料」、ＪＩＳ  Ｋ５６７０「アクリル樹脂系非水分散形塗料」、ＪＩＳ  Ａ６９０９「建築用仕上塗材」等が挙げられる。
【００２８】
本発明の剥離剤組成物は、このような塗膜の上に、好ましくは０．２ｋｇ／ｍ２以上５．０ｋｇ／ｍ２以下、より好ましくは０．３ｋｇ／ｍ２以上３．０ｋｇ／ｍ２以下で塗付すればよい。塗装器具としては特に限定されず、例えば、ローラー、刷毛、鏝、ヘラ、スプレー、ガン等を用いて塗装すればよい。
【００２９】
また本発明の剥離剤組成物は、３０分から２時間程度で軟化し剥離を開始することができ、さらに２４時間から４８時間経過後も軟化が持続している。そのため、翌日など、施工者のタイミングにあわせて剥離が可能である。剥離器具としては特に限定されず、例えば、鏝、ヘラ、スクレーパー等を用いて剥離すればよい。
【実施例】
【００３０】
以下に実施例を示し、本発明の特徴をより明確にする。
【００３１】
表１に示す重量割合にて下記原料を均一に混合した剥離剤組成物１〜１９を用意した。
Ａ１：オクタデカノール
Ａ２：テトラデカン酸
Ａ３：エルカ酸アミド
Ａ４：デカン酸メチル
Ａ５：オレイン酸メチル
Ａ６：プロピオン酸メチル
Ｂ１：ソルビトール
Ｂ２：グリセリン
Ｃ１：Ｎ−メチルピロリドン
Ｃ２：フタル酸ジメチル
Ｃ３：ベンジルアルコール
Ｃ４：ノナン
Ｃ５：キシレン
増粘剤１：セルロース系増粘剤
増粘剤２：ベントナイト系増粘剤
酸化剤：過酸化水素
樹脂：酢酸ビニル樹脂（固形分１００重量％）
界面活性剤：ポリオキシエチレン（２０）ラウリルエーテル硫酸ナトリウム
【００３２】
（試験）
下記に示す塗膜面が垂直となるように設置し、表１に示す剥離用組成物を下記に示す所要量でローラー塗りし、下記の試験を実施した。
塗膜面：スレート板（３００×１５０×６ｍｍ）の片面に、アクリルシリコン樹脂、酸化チタンを主成分とするアクリルシリコン樹脂塗料を吹付け、塗膜厚０．３ｍｍの塗膜を形成させ、これを促進耐候性試験機「アイスーパーＵＶテスター」（岩崎電気株式会社製）にて４００時間曝露させたものを塗膜面とした。剥離用組成物所要量０．５ｋｇ／ｍ２。
【００３３】
（試験１）塗着性
塗付直後の剥離用組成物の塗着度合いを目視にて観察した。度合いの評価は、「５」（垂直面でも問題無く優れた塗着性を示した。）から「１」（剥離用組成物が一部垂れ落ちてしまった。）の５段階で評価した。結果は表１に示す。
【００３４】
（試験２）剥離性
塗付後２４時間後、ヘラを用いて塗膜剥離を行い、その度合いを、「５」（問題無くスムーズに剥離でき、優れた塗膜軟化性を示した。）から「１」（剥離が困難であり、塗膜軟化性に劣っていた。）の５段階で評価した。結果は表１に示す。
【００３５】
（試験３）剥離効果の持続性
塗付後４８時間後、ヘラを用いて塗膜剥離を行い、その度合いを評価した。評価は試験２と同様である。結果は表１に示す。
【００３６】
【表１】
2020169320.tif 000002